(57)【要約】【課題】  あらかじめ入力した印刷設定で印刷が実行されるため、ユーザがあらかじめ入力した印刷設定が記憶と異なっていた場合、ユーザの所望した出力結果が得られずに、印刷に失敗し、時間と資源を無駄遣いするケースが多くみられた。【解決手段】  印刷命令が送られてきたとき、ワンクッション印刷フラグがＯＮになっているか判断し、ワンクッション印刷フラグがＯＮの場合、印刷設定簡易確認画面を表示し、印刷設定変更ボタンが押されたら、印刷設定画面表示ルーチンを実行する。【選択図】        図５
2006079246.tif 000002
【特許請求の範囲】
【請求項１】
コンピュータに接続されたプリンタ装置で、そのコンピュータを司るオペレーティングシステムからプリンタ装置を制御するためのドライバに関して、そのドライバをインストールする手段と、
プリンタ装置の印刷設定を指示するための印刷設定画面が表示されたか判断する手段と、印刷設定画面の表示が選択されたとき、印刷設定を行なう手段と、
印刷設定画面表示フラグを立てる手段と、
印刷設定画面の表示が選択されなかったとき、印刷設定画面表示フラグを落とす手段と、印刷命令が送られてきたとき、ワンクッション印刷フラグが立っているか判断する手段と、ワンクッション印刷フラグが立っていたとき、印刷設定画面表示フラグが立っているか判断する手段と、
その印刷設定画面表示フラグが立っていなかったとき、印刷設定簡易確認画面を表示する手段と、
描画命令と印刷設定に従い、印刷を実行する手段と、
印刷実行後に印刷設定表示フラグを落とす手段を有することを特徴とする印刷設定簡易表示方法。
【請求項２】
前記、印刷設定画面の表示が選択されたとき、印刷設定を行なう手段において、印刷設定画面を表示する手段と、
印刷設定の入力を受付ける手段と、
ワンクッション印刷が選択されたか判断する手段と、
ワンクッション印刷が選択されたとき、ワンクッション印刷設定フラグを立てる手段と、ワンクッション印刷が選択されなかったとき、ワンクッション印刷設定フラグを落とす手段と、
その他の印刷設定を保存する手段を有することを特徴とする印刷設定簡易表示方法。
【請求項３】
前記、ドライバをインストールする手段において、印刷設定画面を表示する手段と、
印刷設定の入力を受付ける手段と、
ワンクッション印刷が選択されたか判断する手段と、
ワンクッション印刷が選択されたとき、ワンクッション印刷設定フラグを立てる手段と、ワンクッション印刷が選択されなかったとき、ワンクッション印刷設定フラグを落とす手段と、
その他の印刷設定を保存する手段を有することを特徴とする印刷設定簡易表示方法。
【請求項４】
コンピュータに接続されたプリンタ装置で、そのコンピュータを司るオペレーティングシステムからプリンタ装置を制御するためのドライバに関して、そのドライバをインストールする手段と、
プリンタ装置の印刷設定を指示するための印刷設定画面が表示されたか判断する手段と、印刷設定画面の表示が選択されたとき、印刷設定を行なう手段と、
印刷設定画面表示フラグを立てる手段と、
印刷設定画面の表示が選択されなかったとき、印刷設定画面表示フラグを落とす手段と、印刷命令が送られてきたとき、ワンクッション印刷フラグが立っているか判断する手段と、ワンクッション印刷フラグが立っていたとき、印刷設定画面表示フラグが立っているか判断する手段と、
その印刷設定画面表示フラグが立っていなかったとき、印刷設定簡易確認画面を表示する手段と、
描画命令と印刷設定に従い、印刷を実行する手段と、
印刷実行後に印刷設定表示フラグを落とす手段を有することを特徴とする印刷設定簡易表示装置。
【請求項５】
前記、印刷設定画面の表示が選択されたとき、印刷設定を行なう手段において、印刷設定画面を表示する手段と、
印刷設定の入力を受付ける手段と、
ワンクッション印刷が選択されたか判断する手段と、
ワンクッション印刷が選択されたとき、ワンクッション印刷設定フラグを立てる手段と、ワンクッション印刷が選択されなかったとき、ワンクッション印刷設定フラグを落とす手段と、
その他の印刷設定を保存する手段を有することを特徴とする印刷設定簡易表示装置。
【請求項６】
前記、ドライバをインストールする手段において、印刷設定画面を表示する手段と、
印刷設定の入力を受付ける手段と、
ワンクッション印刷が選択されたか判断する手段と、
ワンクッション印刷が選択されたとき、ワンクッション印刷設定フラグを立てる手段と、ワンクッション印刷が選択されなかったとき、ワンクッション印刷設定フラグを落とす手段と、
その他の印刷設定を保存する手段を有することを特徴とする印刷設定簡易表示装置。
【請求項７】
コンピュータに接続されたプリンタ装置で、オペレーティングシステムからプリンタ装置を制御するためのドライバに関して、そのドライバをインストールする手段と、
プリンタ装置の印刷設定を指示するための印刷設定画面が表示されたか判断する手段と、印刷設定画面の表示が選択されたとき、印刷設定を行なう手段と、
印刷設定画面表示フラグを立てる手段と、
印刷設定画面の表示が選択されなかったとき、印刷設定画面表示フラグを落とす手段と、印刷命令が送られてきたとき、ワンクッション印刷フラグが立っているか判断する手段と、ワンクッション印刷フラグが立っていたとき、印刷設定画面表示フラグが立っているか判断する手段と、
その印刷設定画面表示フラグが立っていなかったとき、印刷設定簡易確認画面を表示する手段と、
描画命令と印刷設定に従い、印刷を実行する手段と、
印刷実行後に印刷設定表示フラグを落とす手段を有することを特徴とする印刷設定簡易表示方法を記録した媒体。
【請求項８】
前記印刷設定画面の表示が選択されたとき、印刷設定を行なう手段において、印刷設定画面を表示する手段と、
印刷設定の入力を受付ける手段と、
ワンクッション印刷が選択されたか判断する手段と、
ワンクッション印刷が選択されたとき、ワンクッション印刷設定フラグを立てる手段と、ワンクッション印刷が選択されなかったとき、ワンクッション印刷設定フラグを落とす手段と、
その他の印刷設定を保存する手段を有することを特徴とする印刷設定簡易表示方法を記録した媒体。
【請求項９】
前記ドライバをインストールする手段において、印刷設定画面を表示する手段と、
印刷設定の入力を受付ける手段と、
ワンクッション印刷が選択されたか判断する手段と、
ワンクッション印刷が選択されたとき、ワンクッション印刷設定フラグを立てる手段と、ワンクッション印刷が選択されなかったとき、ワンクッション印刷設定フラグを落とす手段と、
その他の印刷設定を保存する手段を有することを特徴とする印刷設定簡易表示方法を記録した媒体。
【発明の詳細な説明】
【技術分野】
【０００１】
本発明は、画像処理方法に関して、パーソナルコンピュータなどの情報処理システムにおける印刷設定簡易表示方法及び装置とその媒体に関するものである。
【背景技術】
【０００２】
市販されているアプリケーションにツールバーが標準的に実装されるようになり、そのツールバー中にプリンタアイコンをもち、そのプリント出力をする場合は、「印刷」アイコンがクリックされることで印刷が実行される技術は既に開示されている（特許文献１参照）。
【特許文献１】特開平５−２１９３８８号公報
【発明の開示】
【発明が解決しようとする課題】
【０００３】
従来のツールバーの印刷実行ボタンでは、押下すると即座に印刷が実行されるため、印刷を設定するためのダイアログボックスを表示することなく、瞬時に出力結果を得ることができる。しかし、あらかじめ入力した印刷設定で印刷が実行されるため、ユーザがあらかじめ入力した印刷設定が記憶と異なっていた場合、ユーザの所望した出力結果が得られずに、印刷に失敗し、時間と資源を無駄遣いするケースが多くみられた。
【０００４】
本発明は、以上の点に着目して成されたもので、ツールバーの印刷ボタンなど、ワンクリックで印刷を実行する機能を利用するとき、印刷ミスを未然に防ぎ、効率的に印刷結果を得ることができる印刷設定簡易表示方法及び装置とその媒体を提供することを目的とする。
【課題を解決するための手段】
【０００５】
上記課題を解決するため本発明は以下の構成から成る。
【０００６】
コンピュータに接続されたプリンタ装置で、そのコンピュータを司るオペレーティングシステムからプリンタ装置を制御するためのドライバに関して、そのドライバをインストールする手段と、プリンタ装置の印刷設定を指示するための印刷設定画面が表示されたか判断する手段と、印刷設定画面の表示が選択されたとき、印刷設定を行なう手段と、印刷設定画面表示フラグを立てる手段と、印刷設定画面の表示が選択されなかったとき、印刷設定画面表示フラグを落とす手段と、印刷命令が送られてきたとき、ワンクッション印刷フラグが立っているか判断する手段と、ワンクッション印刷フラグが立っていたとき、印刷設定画面表示フラグが立っているか判断する手段と、その印刷設定画面表示フラグが立っていなかったとき、印刷設定簡易確認画面を表示する手段と、描画命令と印刷設定に従い、印刷を実行する手段と、印刷実行後に印刷設定表示フラグを落とす手段を有することを特徴とする印刷設定簡易表示方法及び装置。
【発明の効果】
【０００７】
ツールバーの印刷ボタンなど、ワンクリックで印刷を実行する機能を利用するとき、印刷ミスを未然に防ぎ、効率的に印刷結果を得ることができる。
【発明を実施するための最良の形態】
【０００８】
以下画面を参照して本発明に係る一実施例を詳細に説明する。
【実施例】
【０００９】
図１は本実施例の印刷設定簡易表示方法が適用される情報処理システムの構成の一例を示すブロック図である。
【００１０】
図１において、１は中央処理装置で、上記プログラムおよび関連データが記憶されているＦＤ，ＣＤ−ＲＯＭ，ＩＣメモリカード等の記憶媒体をシステムに接続された媒体読取装置６から読み込み、補助記憶装置３から主記憶装置２にロードされたシステムプログラム、アプリケーションプログラムによって、入力装置４から入力される情報を処理して、出力装置５やプリンタ７に出力する。なお、本実施例では、出力装置５はディスプレイなどの表示装置とし、本来出力装置に含まれるプリンタ７と区別する。また、入力装置４はキーボード、ポインティングデバイス等で構成されているものとする。さらに補助記憶装置３は、ハードディスク、光磁気ディスクで構成されるものであってもいいし、これらの組み合わせで構成されるものであってもよい。また、それぞれの装置がネットワークを介して接続されていようとも、この発明を制約するものではない。
【００１１】
図２は媒体読取装置や記憶装置に格納されていた印刷設定簡易表示方法制御プログラムと関連するデータが中央処理演算装置に読み込まれ、入力装置から印刷命令が入力されて、プリンタへデータを送り印刷するまでの概念図をあらわす。アプリケーション、ドライバともＯＳの制御下で機能する。
【００１２】
図３は、ツールバー中にプリンタアイコンをもつ一般に市販されているアプリケーションの概念図である。ここでは、アプリケーションのメニュー下部にツールバー（３−１）が表示されており、アプリケーションの機能をショートカットして利用できるように、それぞれの機能に割り当てられたボタンが複数並んでいる。その中にプリンタのアイコンを持つ印刷ボタン（３−２）があり、このボタンを押下することで、プリンタドライバをインストールしたときの初期印刷設定、もしくは、そのアプリケーションで変更した印刷設定に従い直接印刷が実行される。
【００１３】
図４は、一般に印刷設定を変更するために表示されるウィンドウの内容を示す概念図である。近年のプリンタの多機能化に伴い、印刷設定項目の数も増大し、１つのウィンドウ中に“ページ設定”や“仕上げ”といった複数のタグを備えて、大量の設定項目を表示している。そのため、目的の印刷設定を設定、確認するために設定項目が見つけづらいことがある。
【００１４】
図５は、図４の印刷設定画面中に、図３のツールバー（３−１）で印刷ボタン（３−２）が押下されたときに、印刷設定確認画面を表示するかどうか決定するための“ワンクッション印刷”チェックボックスが表示されている概念図である。ここでは、印刷設定画面中にチェックボックスコントロールとして表示したが、ラジオボタンやコンボボックスといった、他のコントロールであっても、この特許を制限するものではない。
【００１５】
図６は、図５の印刷設定画面中の“ワンクッション印刷”がチェックされ、図３のツールバー中の印刷ボタンが押下されたときに表示される、印刷設定簡易確認画面を示す概念図である。この概念図には、“原稿サイズ”“部数”“ページレイアウト”など、主要な印刷設定が表示され、さらに、それらの設定内容を視覚的に直感で判断できるようにプレビュー画面を含んでいる。ここで表示される印刷設定項目は、これ以上、以下でもよく、主要な印刷設定が確認できることを目的としている。よってプレビュー画面も表示しなくともよい。また、印刷設定簡易確認画面中には、印刷設定変更ボタンを備え、設定項目に誤りがあった場合は、それを修正するために、図４に示す、印刷設定画面を表示させて、印刷設定を変更することができる。
【００１６】
図７は、この画像処理方法制御プログラムおよび関連データがＦＤを介してコンピュータにロードする状態を示している。このＦＤを媒体読取装置にセットすると、主記憶装置に読み込まれているＯＳおよび基本Ｉ／Ｏプログラムの制御の基に本画像処理方法制御プログラムおよび関連データがＦＤから読み出され、主記憶装置にロードされたときに動作が可能となる。
【００１７】
図８は、本印刷設定簡易表示プログラムがＦＤに格納されているメモリマップを示す。
【００１８】
図９は、ＦＤに格納されていた印刷設定簡易表示プログラムが、媒体読取装置を介して、補助記憶装置から主記憶装置にロードされたときのメモリマップを示す。
【００１９】
本実施例では、ＦＤから本印刷設定簡易表示プログラムを直接、補助記憶装置を介して主記憶装置に読み込んで実行する例を示したが、本印刷設定簡易表示プログラムをＦＤなどの記憶媒体からＨＤなどの補助記憶装置にセーブしておき、実行するときに主記憶装置に読み込む形態をとってもよい。
【００２０】
また、本印刷設定簡易表示プログラムを記録する媒体は、ＦＤ、ＨＤ以外にも、光磁気ディスクやＣＤ−ＲＯＭ、ＤＶＤ−ＲＯＭ、ＩＣメモリカード等であってもよい。また、本印刷設定簡易表示プログラムをＲＯＭに記憶しておくことも可能である。
【００２１】
本印刷設定簡易表示方法は図１０に示される本印刷設定簡易表示方法のフローチャートに基づいてプログラム化されたものである。以下、図１０のフローチャートを参照しながら本発明に係る本印刷設定簡易表示方法について説明する。
【００２２】
まず、図１−４の入力装置からプリンタドライバのインストールを実行するように命令が入力されると、図１−３の補助記憶装置から図１−２の主記憶装置上に読み込まれたＯＳがメッセージを受け取り、プリンタドライバのインストーラを起動する。インストールが開始すると（図１０−１）、初期の印刷設定を入力するための印刷設定画面表示ルーチンを実行する（図１０−１０１）。印刷設定画面表示ルーチンではまず、入力を受付ける印刷設定画面を表示し（図１０−２０１）、ユーザから印刷設定の入力を受付ける（図１０−２０２）。そこで、図５に示す“ワンクッション印刷”が選択されたかを判断し（図１０−２０３）、選択されたときには、ワンクッション印刷フラグをＯＮにする（図１０−２０４）。また選択されなかったときには、ワンクッション印刷選択フラグをＯＦＦにする（図１０−２０５）。印刷設定の入力が終了したら、設定されたすべての印刷設定を保存し（図１０−２０６）、さらに印刷設定画面表示フラグをＯＦＦにして（図１０−１０２）、印刷設定画面表示ルーチンを終了する。インストールが終了し、ワープロや表計算などのアプリケーションを使った処理中に、ユーザから印刷設定画面表示が選択されたか判断を行い（図１０−２）、印刷設定画面表示が選択されたときには、印刷設定画面表示ルーチンを実行する（図１０−３）。印刷設定画面表示ルーチンによって、各印刷設定の入力を受付けた後、印刷設定画面表示フラグをＯＮにする（図１０−４）。
【００２３】
その後、印刷命令が実行されると、ドライバやアプリケーション（図２）のうち、ＯＳがそのメッセージを受け取る。ＯＳは現在アクティブであるアプリケーションに印刷実行メッセージを送る。
【００２４】
アプリケーションは、そのメッセージをＯＳが認識できるコマンドに変換して印刷するデータやコマンドのメッセージを送る。ＯＳはドライバの認識できるコマンドに変換して、メッセージを送る。
【００２５】
最初の印刷命令が送られてきたとき（図１０−５）、ワンクッション印刷フラグがＯＮになっているか判断し（図１０−６）、ワンクッション印刷フラグがＯＮになっていたら、さらに、印刷設定画面表示フラグがＯＮになっているか判断する（図１０−７）。印刷設定画面表示フラグがＯＦＦだったとき、印刷設定簡易確認画面（図６）を表示する（図１０−８）。印刷設定簡易確認画面中の印刷設定変更ボタンが押されたら（図１０−９）、印刷設定画面表示ルーチンを実行する（図１０−１０）。印刷設定簡易確認画面や、印刷設定画面中でＯＫボタンが押されたら印刷処理を実行し（図１０−１１）、印刷設定画面表示フラグをＯＦＦにして（図１０−１２）、処理を終了する。
【図面の簡単な説明】
【００２６】
【図１】情報処理システムの構成の一例を示すブロック図である。
【図２】プリンタへデータを送り印刷するまでの概念図である。
【図３】アプリケーションの概念図である。
【図４】ウィンドウの内容を示す概念図である。
【図５】チェックボックスが表示されている概念図である。
【図６】印刷設定簡易確認画面を示す概念図である。
【図７】ＦＤを介してコンピュータにロードする状態を示す概念図である。
【図８】ＦＤに格納されているメモリマップを示す図である。
【図９】補助記憶装置から主記憶装置にロードされたときのメモリマップを示す図である。
【図１０】印刷設定簡易表示方法の一実施例をあらわすフローチャートである。
【符号の説明】
【００２７】
１  中央処理装置
２  主記憶装置
３  補助記憶装置
４  入力装置
５  出力装置
６  媒体読取装置
７  プリンタ
８  ＲＯＭ
【図１】
2006079246.tif 000003
【図２】
2006079246.tif 000004
【図８】
2006079246.tif 000005
【図９】
2006079246.tif 000006
【図１０】
2006079246.tif 000007
【図３】
2006079246.tif 000008
【図４】
2006079246.tif 000009
【図５】
2006079246.tif 000010
【図６】
2006079246.tif 000011
【図７】
2006079246.tif 000012